(57)【要約】  装置本体の一部をなすサブパネル３の前部の左右に設けられたガイド溝９に液晶モニタパネル７の両側面に設けられたガイドピン８を嵌合する構造であって、前記サブパネル３の前面に、スライドして前記ガイド溝９下端の開口部９ａを露出し又は覆うプレート１１ａ、１１ｂを、前記サブパネル３から脱落しないように組み付けてなる。
2009090698.tif 000002
【特許請求の範囲】
【請求項１】
装置本体前部の左右に、前記装置本体の前面に開口するガイド溝が設けられ、前記ガイド溝にモニタパネルの両側面に設けられたガイドピンが嵌合され、前記ガイドピンが前記ガイド溝に案内されることにより前記モニタパネルが前記装置本体に対し傾動する構造のモニタパネル装置において、前記装置本体の前面に、移動して前記ガイド溝の端部を露出し又は覆うプレートを、前記装置本体から脱落しないように組み付けてなることを特徴とするモニタパネル装置。
【請求項２】
前記プレートは前記装置本体の前面に左右方向にスライド可能に設けられ、前記プレートと前記装置本体との間には、前記プレートが前記装置本体から脱落するのを防止し、かつスライド範囲を規制する機構が設けられていることを特徴とする請求項１記載のモニタパネル装置。
【請求項３】
前記プレートは前記装置本体の前面に回動可能に枢着され、回動して開いたときには前記ガイド溝の端部を露出し、閉じたときには前記ガイド溝の端部を覆うことを特徴とする請求項１記載のモニタパネル装置。
【発明の詳細な説明】
【技術分野】
【０００１】
この発明は、モニタパネルの組み付けを容易にしたモニタパネル装置に関する。
【背景技術】
【０００２】
液晶モニタパネルなどを備えたモニタパネル装置には、カーナビゲーションシステムなどのように液晶モニタパネルを装置本体に対し可動としたものがある。このようなモニタパネル装置の一例を図１３、図１４に示す。図１３、１４において、装置本体１０１は筐体１０２とその前面のサブパネル１０３とから構成されている。筐体１０２には、各種機器やＣＤ、ＣＤ−ＲＯＭなどのドライブなどが組み込まれている。サブパネル１０３の前側は、凹状のモニタパネル収容部１０４となっており、モニタパネル収容部１０４におけるサブパネル１０３の前面には、ＣＤ、ＣＤ−ＲＯＭなどを差し込むための挿入口（図示省略）が形成されている。モニタパネル収容部１０４の両側は、操作ボタンなどを配置する右プレート部１０５ａ、左プレート部１０５ｂとなっている。【０００３】
サブパネル１０３のモニタパネル収容部１０４に液晶モニタパネル（モニタパネル）１０６が傾動可能に収容される。モニタパネル１０６の両側面の上部付近には、ガイドピン１０７が設けられている。一方、左右のプレート部１０５ａ、１０５ｂの内側面には、ガイドピン１０７が差し込まれるガイド溝１０８が形成されている。モニタパネル１０６の両側面の下部には、筐体１０２内に組み付けられたスライド機構が連結される。モニタパネル１０６の下部がスライド機構により前方に押し出されることによりガイドピン１０７はガイド溝１０８に沿って移動し、モニタパネル１０６は、図１３に示す状態から図１４に示すように傾動される。【０００４】
上記のようなモニタパネル装置において、モニタパネル１０６のガイドピン１０７をガイド溝１０８に組み付ける際、モニタパネル１０６が水平の姿勢のままでは、ガイドピン１０７と左右のプレート部１０５ａ、１０５ｂが干渉してモニタパネル収容部１０４内に差し込むことができないので、モニタパネル１０６を傾けてモニタパネル収容部１０４内に差し込み、ガイドピン１０７をガイド溝１０８には嵌め込んでいた。しかし、ガイドピン１０７がプレート部１０５ａ、１０５ｂに当たったりモニタパネル１０６がプレート部１０５ａ、１０５ｂなどに当たったりして、モニタパネル１０６、プレート部１０５ａ、１０５ｂを傷付けてしまうことがある。【０００５】
このようなことから、プレート部１０５ａ、１０５ｂにおけるガイド溝１０８の下端に対応する部分を別部材で作製して取り外しできるようにするものが考えられている。モニタパネル１０６のガイドピン１０７をガイド溝１０８に差し込む際には、別部材を取り外してガイド溝１０８の下端部を露出させるのである。しかし、このようなモニタパネル装置においては、生産上サブパネル１０３と取り外し可能な別部材とが別生産となり、塗装のロットが異なって色調差が生じて見栄えが悪くなってしまう。また、組立や再組立の際には、別部材を取り外し、取り付けを行うがその際に、別部材、サブパネル１０３、モニタパネル１０６を傷付けてしまうおそれがある。モニタパネルを装置本体に組み付ける構造としては、例えば特許文献１があげられる。【０００６】
【特許文献１】特開平３−１０６０９８号公報
【０００７】
この発明は、従来のモニタパネル装置における上記のような問題点を解決し、液晶モニタパネルなどのガイド溝への組み付けを容易にすると共に、装置本体を構成するサブパネルの一部を別部材とすることによる色調差の発生、取り付け取り外しの際の傷の発生などが生じないようにすることを目的としてなされたものである。
【発明の開示】
【０００８】
この発明に係るモニタパネル装置は、装置本体前部の左右に、前記装置本体の前面に開口するガイド溝が設けられ、前記ガイド溝にモニタパネルの両側面に設けられたガイドピンが嵌合され、前記ガイドピンが前記ガイド溝に案内されることにより前記モニタパネルが前記装置本体に対し傾動される構造のモニタパネル装置において、前記装置本体の前面に、移動して前記ガイド溝の端部を露出し又は覆うプレートを、前記装置本体から脱落しないように組み付けてなる。
【０００９】
この発明に係るモニタパネル装置によれば、プレートが移動することによりガイド溝の端部が露出するので、モニタパネルのガイドピンのガイド溝への組み付けが容易となり、装置本体を傷付けることもなくなる。また、プレートは装置本体に組み付けられて塗装がされるので、装置本体に色調差が生ずることはない。
【図面の簡単な説明】
【００１０】
【図１】この発明のモニタパネル装置の実施の形態１における装置本体の斜視図である。
【図２】この発明のモニタパネル装置の実施の形態１における装置本体にモニタパネルを組み付けた状態の斜視図である。
【図３】図２におけるＩＩＩ部の拡大図である。
【図４】実施の形態１におけるプレートの組み付け構造の斜視図である。
【図５】図４においてサブパネルからプレートを外した状態の斜視図である。
【図６】図４におけるプレートの背面とサブパネルの全面を示す、一部省略した斜視図である。
【図７】この発明のモニタパネル装置の実施の形態２における装置本体の斜視図である。
【図８】この発明のモニタパネル装置の実施の形態２における装置本体にモニタパネルを組み付けた状態の斜視図である。
【図９】実施の形態２におけるプレートの組み付け構造の斜視図である。
【図１０】図９においてサブパネルからプレートを外した状態の斜視図である。
【図１１】図９におけるプレートの背面の斜視図である。
【図１２】図９の状態におけるプレート平面に沿う断面図である。
【図１３】基本的なモニタパネル装置の斜視図である。
【図１４】図１３に示すモニタパネル装置においてモニタパネルを傾斜させた状態の斜視図である。
【発明を実施するための最良の形態】
【００１１】
以下、この発明をより詳細に説明するために、この発明を実施するための最良の形態について、添付の図面に従って説明する。
実施の形態１．
図１は、実施の形態１に係るモニタパネル装置における装置本体の斜視図、図２は、図１に示す装置本体に液晶モニタパネルを組み付けた状態の斜視図、図３は、図２中のＩＩＩ部の拡大図である。【００１２】
装置本体１は筐体２とその前面のサブパネル３とから構成されている。筐体２には、各種機器やＣＤ、ＣＤ−ＲＯＭなどのドライブなどが組み込まれている。サブパネル３の前側は、凹状のモニタパネル収容部４となっており、そのサブパネル３の前面３ａには、ＣＤ、ＣＤ−ＲＯＭなどを差し込むためのＣＤ挿入口５が形成されている。モニタパネル収容部４の左右両側は、操作ボタンなどを配置するボタン配置部６ａ（右側）、６ｂ（左側）となっている。【００１３】
サブパネル３のモニタパネル収容部４に液晶モニタパネル（モニタパネル）７が傾動可能に収容される。モニタパネル７の両側面の上部付近には、ガイドピン（モニタパネルピン）８が設けられている。一方、左右のボタン配置部６ａ、６ｂの内側面には、ガイドピン８が差し込まれるガイド溝（カム溝）９が形成されている。モニタパネル７の両側面の下部には、筐体２内に組み付けられたスライド機構が連結される。ガイド溝９は下方ではボタン配置部６ａ、６ｂの前面側に湾曲し、その下端部はボタン配置部６ａ、６ｂの前面に開口する開口部９ａとなっている。したがって、図示はしていないが、モニタパネル７のガイドピン８をガイド溝９に挿入し、ガイドピン８がガイド溝９の上端部に行くまでモニタパネル７を押し上げればモニタパネル７は鉛直方向を向き、モニタパネル収容部４内に収まる。この状態では、モニタパネル７がＣＤ挿入口５の前側に来て、ＣＤ挿入口５を隠した状態となる。モニタパネル７の下部がスライド機構により前方に押し出されることによりガイドピン８はガイド溝９に沿って移動し、モニタパネル７は傾動し、ＣＤ挿入口５が現われる。【００１４】
サブパネル３におけるボタン配置部６ａ、６ｂのそれぞれの下部に、移動の態様として左右方向にスライド可能に、プレート１１ａ、１１ｂが設けられる。これらのプレート１１ａ、１１ｂは、スライド範囲が規制されており、かつサブパネル３から脱落しないように組み付けられている。プレート１１ａ、１１ｂが左右方向外側に移動することによりガイド溝９の下端の開口部９ａが露出する。プレート１１ａ、１１ｂを左右方向内側に移動させて閉じた状態にすると、ガイド溝９の下端の開口部９ａは塞がれる。【００１５】
図４、５、６には、左右のプレート１１ａ、１１ｂのスライド機構の詳細を示す。右側のプレート１１ａと左側のプレート１１ｂとは左右対称部分以外は同一の構造をなすので、以下右側のプレート１１ａについてその構造を説明する。なお、プレート１１ａ、１１ｂは、サブパネル３と同様にプラスチックで形成される。【００１６】
プレート１１ａの直方板状の本体部２１の上面には、本体部２１より厚さの薄いスライド部２２が段差を付けて設けられている。スライド部２２の上面の中央部には、ストッパ部２３が凸設されている。本体部２１の下部には、背面側（サブパネル３側）に屈曲させて接続部２４と規制部２５が設けられ、接続部２４と規制部２５との間には溝２６が形成されている。スライド部２２、接続部２４及び規制部２５は本体部２１と同じ左右方向長さとなっている。規制部２５の背面側の端部近くに、規制用凸部２７が設けられている。規制用凸部２７は、右側のプレート１１ａにあっては組み付けた状態で左側（正面から見て）となる端部近くに、左側のプレート１１ｂにおいてはそれと対称に、つまり右側の端部近くに設けられる。【００１７】
サブパネル３の下部の前面には、プレート１１ａを組み付けるための切欠き部３１が形成されている。この切欠き部３１にガイド溝９下端の開口部９ａが開口している。切欠き部３１の上部には、プレート１１ａのスライド部２２が嵌合するスライド用溝３２が形成されている。スライド用溝３２の上部につなげてストッパ部規制溝３３が形成されている。ストッパ部規制溝３３にはプレート１１ａ上部のストッパ部２３が嵌合される。【００１８】
サブパネル３の下端部は、プレート１１ａの下部の接続部２４、規制部２５が嵌まり合う構造となっている。つまり、図４、５に示すように、溝２６に嵌合する凸部３４が形成されていると共に、規制部２５が嵌合する規制部用溝３５が形成されている。規制部用溝３５を形成する、前側を向く面３６には、図６に示すように、前述した規制用凸部２７が嵌合する規制溝３７が左右方向に形成されている。この規制溝３７の両端は、深さが深い係止用溝部３７ａ、３７ｂとなっており、係止用溝部３７ａと３７ｂとの間は深さが浅い移動案内部３７ｃとなっている。【００１９】
図４に示すようにプレート１１ａをサブパネル３の切欠き部３１に組み付けた状態では、プレート１１ａの上部のスライド部２２は、サブパネル３側のスライド用溝３２に嵌合し、スライド部２２上のストッパ部２３はストッパ部規制溝３３に嵌合し、プレート１１ａの下部の溝２６は凸部３４に嵌合し、規制部２５は規制部用溝３５に嵌合する。そして、規制部２５の一方の端部近くに設けられている規制用凸部２７は、規制溝３７の内側の係止用溝部３７ａに嵌合する。この状態では、プレート１１ａに外力をかけなければ、プレート１１ａは、規制用凸部２７が規制溝３７の係止用溝部３７ａに嵌合していることによりサブパネル３から下方に脱落することはなく、また左右方向にもスライドはしない。なお、規制用凸部２７と規制溝３７とは、プレート１１ａとサブパネル３との合わせ面であれば、どこに設けてもよい。【００２０】
サブパネル３は、図４に示すようにプレート１１ａが組み付けられた状態で塗装などが行われる。したがって、サブパネル３のボタン配置部６ａとプレート１１ａとにおける色調に差が生じることはない。【００２１】
このようなモニタパネル装置において、装置本体１側のサブパネル３にモニタパネル７を組み付ける際には、先ず左右のプレート１１ａ、１１ｂをそれぞれ左右方向外側に移動させる。プレート１１ａ、１１ｂに左右方向外側向きのある程度の力をかけることにより、規制用凸部２７は係止用溝部３７ａから移動案内部３７ｃに乗り、プレート１１ａ、１１ｂは左右方向外側にスライド可能となる。プレート１１ａ、１１ｂがプラスチックで形成され、弾性を有するのでこのような動作が可能となる。左右方向外側に移動されるプレート１１ａは、上部のストッパ部２３がストッパ部規制溝３３の端に当たることにより停止される。この状態で、サブパネル３の切欠き部３１のガイド溝９下端の開口部９ａは露出される。したがって、モニタパネル７の両側面のガイドピン８を容易にガイド溝９に挿入することができる。ガイドピン８のガイド溝９への挿入後、プレート１１ａ、１１ｂを左右方向内側にスライド移動させて元の位置に戻す。規制用凸部２７が、規制溝３７の係止用溝部３７ａに嵌合し、プレート１１ａ、１１ｂは移動しない状態となる。したがって、誤ってプレート１１ａ、１１ｂに左右方向の力をかけたとしても容易に移動することはない。なお、モニタパネル７の両側面の下部には、モニタパネル７を傾動させるための、筐体２内のスライド機構(図示省略)が連結される。【００２２】
この実施の形態１に係るモニタパネル装置によれば、プレート１１ａ、１１ｂを組み付けた状態で塗装を施すことにより、サブパネル３におけるボタン配置部６ａ、６ｂとプレート１１ａ、１１ｂとに色調差が生じることはなくなる。また、プレート１１ａ、１１ｂをスライドさせることにより、モニタパネル７のガイドピン８を容易にガイド溝９に挿入することができ、ガイドピン８がサブパネル３に当たることもなく、サブパネル３に傷を付けることもなくなる。更に、プレート１１ａ、１１ｂはサブパネル３から脱落することはないので、サブパネル３との一体性が損なわれることはない。つまり、プレート１１ａ、１１ｂがサブパネル３から脱落して代わりに他のプレートが組み付けられて塗装時の組み合わせと異なってしまって色調に差が生じてしまうというようなことがなくなる。【００２３】
実施の形態２．
図７は、実施の形態２に係るモニタパネル装置における装置本体の斜視図、図８は、図７に示す装置本体に液晶モニタパネルを組み付けた状態の斜視図である。【００２４】
装置本体１の構造は、実施の形態１のモニタパネル装置と同じである。つまり、装置本体１は筐体２とその前面のサブパネル３とから構成されている。筐体２には、各種機器やＣＤ、ＣＤ−ＲＯＭなどのドライブなどが組み込まれている。サブパネル３の前側は、凹状のモニタパネル収容部４となっており、モニタパネル収容部４の底面であるサブパネル３の前面には、ＣＤ、ＣＤ−ＲＯＭなどを差し込むためのＣＤ挿入口５が形成されている。モニタパネル収容部４の両側は、操作ボタンなどを配置するボタン配置部６ａ、６ｂとなっている。【００２５】
サブパネル３のモニタパネル収容部４に液晶モニタパネル（モニタパネル）７が傾動可能に収容される。モニタパネル７の両側面の上部付近には、ガイドピン（モニタパネルピン）８が設けられている。一方、左右のボタン配置部６ａ、６ｂの内側面には、ガイドピン８が差し込まれるガイド溝（カム溝）９が形成されている。モニタパネル７の両側面の下部には、筐体２内に組み付けられたスライド機構が連結される。ガイド溝９は下方ではボタン配置部６ａ、６ｂの前面側に湾曲し、その下端部はボタン配置部６ａ、６ｂの前面に開口する開口部９ａとなっている。したがって、図示はしていないが、モニタパネル７のガイドピン８をガイド溝９に挿入し、ガイドピン８がガイド溝９の上端部に行くまでモニタパネル７を押し上げればモニタパネル７は鉛直方向を向き、モニタパネル収容部４内に収まる。この状態では、モニタパネル７がＣＤ挿入口５の前側に来て、ＣＤ挿入口５を隠した状態となる。モニタパネル７の下部がスライド機構により前方に押し出されることによりガイドピン８はガイド溝９に沿って移動し、モニタパネル７は傾動し、ＣＤ挿入口５が現われる。【００２６】
この実施の形態２に係るモニタパネル装置では、サブパネル３におけるボタン配置部６ａ、６ｂのそれぞれの下部に、移動の態様として回動可能に、プレート４１ａ、４１ｂが枢着されている。これらのプレート４１ａ、４１ｂは、回動範囲が規制されており、かつサブパネル３から脱落しないように組み付けられている。プレート４１ａ、４１ｂが左右外側に回動することによりガイド溝９下端の開口部９ａが露出する。プレート４１ａ、４１ｂを左右内側に回動させて閉じた状態にすると、ガイド溝９の開口部９ａは塞がれる。【００２７】
図９乃至図１２には、左右のプレート４１ａ、４１ｂの回動機構の詳細を示す。右側のプレート４１ａと左側のプレート４１ｂとは左右対称部分以外は同一の構造をなすので、以下右側のプレート４１ａについてその構造を説明する。なお、プレート４１ａ、４１ｂは、サブパネル３と同様にプラスチックで形成される。【００２８】
プレート４１ａの直方板状の本体部５１の一方側の端（右側のプレート４１ａの右端及び左側のプレート４１ｂの左端）の上部及び下部には、ヒンジ部５２、５３が形成されている。上側のヒンジ部５２の上面及び下側のヒンジ部５３の下面には、それぞれ軸部５４が突設されている。また、同じ面には、位置規制用突起５５が設けられている。下側のヒンジ部５３の下面の軸部５４、位置規制用突起５５は図面では表れていないが、上側のヒンジ部５２の上面と同様に同じ配置で設けられている。本体部５１における、ヒンジ５２、５３が設けられている側と反対側の端には、フック５６が設けられている。フック５６の先端部には爪部５６ａが形成されている。【００２９】
サブパネル３の下部の前面には、プレート４１ａを組み付けるための、本体部５１と同形状の切欠き部６１が形成されている。この切欠き部６１にガイド溝９下端の開口部９ａが開口している。切欠き部６１の左右方向外側のコーナ部の上部及び下部に、プレート４１ａのヒンジ部５２、５３を収容するための、矩形のヒンジ取付け用凹所６２、６３が形成されている。この上側のヒンジ取付け用凹所６２の天井面及び下側のヒンジ取付け用凹所６３の底面には、それぞれプレート４１ａの軸部５４が嵌合する軸部保持穴６４と、位置規制用突起５５が嵌合する位置規制用穴６５ａ、６５ｂが形成されている。サブパネル３の切欠き部６１におけるガイド溝９下端の開口部９ａの下側にはフック用係合溝６６が形成され、係合溝６６には、フック５６の爪部５６ａと係合し得る係合部６６ａが形成されている。【００３０】
図９に示すようにプレート４１ａをサブパネル３の切欠き部６１に組み付けた状態では、プレート４１ａのコーナ部上下のヒンジ部５２、５３は、ヒンジ取付け用凹所６２、６３に嵌合され、ヒンジ部５２、５３の軸部５４は、軸部保持穴６４に嵌合する。また、位置規制用突起５５は、一方の位置規制用穴６５ａに嵌合する。また、フック５６はフック用係合溝６６に入り、その爪部５６ａは係合部６６ａに係合する。したがって、プレート４１ａ、４１ｂはある程度の外力をかけなければ回動することはなく、サブパネル３から脱落することもない。【００３１】
サブパネル３は、図９に示すようにプレート４１ａが組み付けられた状態で塗装などが行われる。したがって、サブパネル３のボタン配置部６ａとプレート４１ａとにおける色調に差が生じることはない。【００３２】
このようなモニタパネル装置において、装置本体１側のサブパネル３にモニタパネル７を組み付ける際には、先ず左右のプレート４１ａ、４１ｂをそれぞれ左右方向外側に向けて回動させる。プレート４１ａ、４１ｂの内側端に手前に引くようにある程度の力をかけることにより、フック５６の爪部５６ａがサブパネル３側のフック用係合溝６６の係合部６６ａから外れると共に、位置規制用突起５５が位置規制用穴６５ａから外れ、プレート４１ａは回動される。プレート４１ａが回動し、図１２中二点鎖線で示すように、位置規制用突起５５がもう１つの位置規制用穴６５ｂに嵌合すると停止される。プレート４１ａ、４１ｂはプラスチックで形成され弾性を有するので、このような動作が可能となる。このようにプレート４１ａが回動すると、この状態で、サブパネル３の切欠き部６１に開口するガイド溝９下端の開口部９ａは露出される。したがって、モニタパネル７の両側面のガイドピン８を容易にガイド溝９に挿入することができ、ガイドピン８がサブパネル３に当たることはなく、サブパネル３を傷付けることもなくなる。ガイドピン８のガイド溝９への挿入後、プレート４１ａ、４１ｂを左右方向内側に回動させて元の位置に戻すことにより、位置規制用突起５５が位置規制用穴６５ａに嵌合し、かつフック５６の爪部５６ａがフック用係合溝６６の係合部６６ａに係合し、プレート４１ａ、４１ｂは移動しない状態となる。したがって、誤ってプレート４１ａ、４１ｂに少々の力をかけたとしてもプレート４１ａ、４１ｂは容易に回動することはない。【００３３】
この実施の形態２に係るモニタパネル装置によれば、プレート４１ａ、４１ｂを組み付けた状態で塗装を施すことにより、サブパネル３におけるボタン配置部６ａ、６ｂとプレート４１ａ、４１ｂとに色調差が生じることはなくなる。また、プレート４１ａ、４１ｂを回動させることにより、ガイド溝９下端の開口部９ａが露出するので、モニタパネル７のガイドピン８を容易にガイド溝９に挿入することができる。更に、プレート４１ａ、４１ｂはサブパネル３から容易に脱落することはないので、サブパネル３との一体性が損なわれることはない。つまり、プレート４１ａ、４１ｂがサブパネル３から脱落して代わりに他のプレートが組み付けられて塗装時の組み合わせと異なってしまうというようなことはなくなる。【００３４】
なお、上記実施の形態１、２はこの発明の実施の形態の例であり、サブパネルに組み付けられプレートを移動可能としてかつガイド溝の下端部を露出させる構造としては、ほかにも種々考えられる。
【産業上の利用可能性】
【００３５】
以上のように、この発明に係るモニタパネル装置は、装置本体前部の左右に、前記装置本体の前面に開口するガイド溝が設けられ、前記ガイド溝にモニタパネルの両側面に設けられたガイドピンが嵌合され、前記ガイドピンが前記ガイド溝に案内されることにより前記モニタパネルが前記装置本体に対し傾動される構造のモニタパネル装置において、前記装置本体の前面に、移動して前記ガイド溝の端部を露出し又は覆うプレートを、前記装置本体から脱落しないように組み付けてなるように構成したので、プレートが移動することによりガイド溝の端部が露出するので、モニタパネルのガイドピンのガイド溝への組み付けが容易となり、装置本体を傷付けることもなくなり、また、プレートは装置本体に組み付けられて塗装がされるので、装置本体に色調差が生ずることはないので、液晶モニタパネルなどを備えたモニタパネル装置などに用いるのに適している。
【図１】
2009090698.tif 000003
【図２】
2009090698.tif 000004
【図３】
2009090698.tif 000005
【図４】
2009090698.tif 000006
【図５】
2009090698.tif 000007
【図６】
2009090698.tif 000008
【図７】
2009090698.tif 000009
【図８】
2009090698.tif 000010
【図９】
2009090698.tif 000011
【図１０】
2009090698.tif 000012
【図１１】
2009090698.tif 000013
【図１２】
2009090698.tif 000014
【図１３】
2009090698.tif 000015
【図１４】
2009090698.tif 000016
【国際調査報告】
2009090698.tif 000017
2009090698.tif 000018